(57)【要約】【課題】高齢者が安心して身に着けることができる腹部カバー付きバックパックを提案する。【解決手段】バックパック本体２と、バックパック本体２の上部及び下部に両端を連結した左右一対の肩バンド１０と、これら肩バンド１０同士の間に掛け渡された腹部カバー２０とを具備する。前記腹部カバー２０は、前記左右一対の肩バンドにそれぞれ基端部２４が取り付けられた一対の半身部材２２Ａ、２２Ｂで形成され、それら半身部材２２Ａ、２２Ｂの先端部２６を相互に固定可能に設けている。【選択図】図１
2018148998.tif 000002
【特許請求の範囲】
【請求項１】
バックパック本体(２)と、
バックパック本体(２)の上部及び下部に両端を連結した左右一対の肩バンド(１０)と、
これら肩バンド(１０)同士の間に掛け渡された腹部カバー(２０)と、
を具備し、
前記腹部カバー(２０)は、前記左右一対の肩バンドにそれぞれ基端部(２４)が取り付けられた一対の半身部材(２２Ａ、２２Ｂ)で形成され、
それら半身部材(２２Ａ、２２Ｂ)の先端部(２６)を相互に固定可能に設けたことを特徴とする、
腹部カバー付きバックパック。
【請求項２】
前記半身部材(２２Ａ、２２Ｂ)は、肩バンド(１０)と別体であり、その肩バンドの長手方向の一部に取り付けられていることを特徴とする、請求項１に記載の腹部カバー付きバックパック。
【請求項３】
前記半身部材(２２Ａ、２２Ｂ)は、前記肩バンド(１０)に対して着脱自在に設けたことを特徴とする、請求項２に記載の腹部カバー付きバックパック。
【請求項４】
前記各半身部材(２２Ａ、２２Ｂ)は、先端部(２６)に向かって巾狭となる三角形状としたことを特徴とする、請求項１から請求項３のいずれかに記載の腹部カバー付きバックパック。
【請求項５】
少なくとも一方の半身部材(２２Ａ、２２Ｂ)にポケット部(３２)を設けたことを特徴とする、請求項１から請求項４のいずれかに記載の腹部カバー付きバックパック。
【発明の詳細な説明】
【技術分野】
【０００１】
本発明は、利用者の腹部を覆うように設けられた腹部カバー付きバックパック、特に高齢者が使い易い腹部カバー付きバックパックに関する。
【背景技術】
【０００２】
この種の技術分野では、従来、上衣とバックパックとを一体化した技術がさまざまな用途にあわせて提案されている。
（１）ハイカー・キャンパーなどのスポーツ愛好者の間で人気のあるバックパックを長袖型の防護用上着の背部に取付けたもの（特許文献１）
（２）主に災害時に使用され、必要物資を納めるためのリュックサックをベスト状の救命胴着の背部に取付けたもの（特許文献２）。
【先行技術文献】
【特許文献】
【０００３】
【特許文献１】特開平８−２４０４６
【特許文献２】特開２０１４−２１２８９４
【発明の概要】
【発明が解決しようとする課題】
【０００４】
日本が高齢化社会に入ったと言われるようになって久しく、総人口に占める高齢者の割合は今後とも増加していくものと考えられている。医療の進歩により、今日の高齢者は、昔に比べて元気であり、屋外に積極的に活動したいという要請がある。その反面、手持ちかばんなどを携帯して外出すると、その手持ちかばんをどこかに置き忘れたり、手がふさがっているために転倒してけがをするおそれもあり、ハンドフリーで必要品を身に着けることができる上衣付きのバックパックに対する需要が高まっている。
特許文献１のものはハイカーのため、特許文献２のものは災害時のためのものであり、こうしたバックパックを日常的に装着すること、特に高齢者が装着することの問題点を何ら提起していない。
高齢者は元気のように見えても暑さや寒さに対する感覚が鈍くなっていることがある。特許文献１の長袖型の上着はもちろんのこと、特許文献２のベスト型の胴着であっても、高齢者が常に身に着ければ体温が上がり過ぎる可能性がある。
また上衣が身体を覆う部分が多いほど素地が増え、重量が増えるので、高齢者には負担となる。
さらに高齢者に限らないことであるが、外出の際に日常的に上衣付きのバックパックを常用するとすれば、上半身の動きを妨げないことが重要である。
前述の通り、特許文献１及び特許文献２は、特定の場面（スポーツをするとき或いは災害から避難するとき）に使用することを想定としているため、前述の用途に用いる上衣付きバックパックはどういう形態であるべきかについて何ら示唆していない。
特許出願人は、この問題を鋭意検討し、従来技術の“バックパックに取り付けられた上衣”という着想から離れ、人体の腹部のみを覆う腹部カバーをバックパックの構成として採用することが前述の問題の解決に資することに気が付いた。
【０００５】
本発明の第１の目的は、高齢者が安心して身に着けることができる腹部カバー付きバックパックを提案することである。
本発明の第２の目的は、利用者が快適に装着できる、腹部カバー付きバックパックを提案することである。
本発明の第３の目的は、利用者の動きを妨げない、腹部カバー付きバックパックを提案することである。
本発明の第４の目的は、簡単に製造することができる、腹部カバー付きバックパックを提案することである。
本発明の第５の目的は、小物を収納するのに便利な、腹部カバー付きバックパックを提案することである。
【課題を解決するための手段】
【０００６】
第１の手段は、バックパック本体２と、
バックパック本体２の上部及び下部に両端を連結した左右一対の肩バンド１０と、
これら肩バンド１０同士の間に掛け渡された腹部カバー２０と、
を具備し、
前記腹部カバー２０は、前記左右一対の肩バンドにそれぞれ基端部２４が取り付けられた一対の半身部材２２Ａ、２２Ｂで形成され、
それら半身部材２２Ａ、２２Ｂの先端部２６を相互に固定可能に設けている。
【０００７】
本手段は、図１及び図５に示すように、バックパック本体２に連結した左右一対の肩バンド１０の間に利用者の腹部を覆うための腹部カバー２０を掛け渡したバックパックを提案している。利用者の身体を覆う箇所が少ないので、動き易く、また気温が高い時期に身に着けても体温が上昇しにくい。
また気温が低いときには、ジャンバーなどの上着を着込んだ上から腹部カバー付きバックパックを装着することが容易であり、体温の調整がやり易い。
さらに前記腹部カバー２０は、各肩バンド１０に取り付けた半身部材２２Ａ、２２Ｂ、からなるので、簡単に身に着けることができる。
【０００８】
「バックパック」とは、背負い袋という程度の意味であり、リュックサック、ナップサック、ランドセルなどを含む。
「腹部カバー」とは、人体の腹部を覆い、装着状態で横方向に一定の長さを有する部材をいう。腹部を覆い、かつ２つの肩ベルトの間を掛け渡せるのであればどのような形態でも構わない。帯状の腹当て部であっても構わない。
「半身部材」…腹部カバーを構成する２つの部材の一方をいう。基本的に同じ形態を有することが望ましい。但し、ポケットの有無などに関しては違っていても構わない。
【０００９】
第２の手段は、第１の手段を有し、かつ
前記半身部材２２Ａ、２２Ｂは、肩バンド１０と別体であり、その肩バンドの長手方向の一部に取り付けられている。
【００１０】
本手段では、図２に示すように、半身部材２２Ａ、２２Ｂが肩バンド１０と別体であり、肩バンドの長手方向の一部（図示例では途中部分Ｍ）に設けられている。この構成によれば、バックパック本体２に腹部カバーを直接縫合するのに比べて簡単に取り付けることができる。
【００１１】
第３の手段は、第１の手段又は第２の手段を有し、かつ
前記半身部材２２Ａ、２２Ｂは、前記肩バンド１０に対して着脱自在に設けている。
【００１２】
本手段では、図５及び図６に示す如く、各半身部材２２Ａ、２２Ｂを肩バンド１０に対して着脱自在に設けることを提案している。これにより、腹部カバー２０が必要ないときには、取り外して普通のバックパックとして使用することができる。
【００１３】
第４の手段は、第１の手段から第３の手段のいずれかを有し、かつ
前記各半身部材２２Ａ、２２Ｂは、先端部２６に向かって巾狭となる三角形状としている。
【００１４】
本手段では、各半身部材２２Ａ、２２Ｂが先端部２６に向かって巾狭となる三角形状になっている。この構成によれば、例えば利用者が前屈みになったときに、各半身部材２２Ａ、２２Ｂが腹部に当たって動作の邪魔になることがない。
【００１５】
第５の手段は、第１の手段から第４の手段のいずれかを有し、かつ
少なくとも一方の半身部材２２Ａ、２２Ｂにポケット部３２を設けている。
【００１６】
本手段では、少なくとも一方の半身部材２２Ａ、２２Ｂにポケット部３２を設けており、その中に財布や小物を収納できるようにして利便性が向上する。例えば上着であれば、ポケットを設ける場所が何か所もあって、どこに物を入れたのかを忘れてしまう不都合がある。これに対して本手段では、利用者の腹部を覆う腹部カバーの半身部材２２Ａ、２２Ｂにポケット部３２を設けるから、どこに財布などをしまったかを忘れるということが少ない。
【発明の効果】
【００１７】
第１の手段に係る発明によれば、高齢者などが装着し易く、冬季の適度な保温を可能とし、同時に夏季の暑苦しさを回避する。
第２の手段に係る発明によれば、バックパック本体にベルトなどの端部を逢着する構造に比べて、バックパック本体２は既存の構造でよいので、取り付け作業に手間を要しない。
第３の手段に係る発明によれば、半身部材２２Ａ、２２Ｂは前記肩バンド１０に対して着脱自在に設けたから、体感温度に応じて各半身部材２２Ａ、２２Ｂを取り外すことができるから使い心地がよく、またバックパック本体２を背負った状態のままで前記半身部材２２Ａ、２２Ｂを取り外すことができるから便利である。
第４の手段に係る発明によれば、各半身部材２２Ａ、２２Ｂは、先端部２６に向かって巾狭となる三角形状としたから、利用者が上半身を動かし易い。
第５の手段に係る発明によれば、腹部カバー２０を構成する半身部材２２Ａ、２２Ｂにポケット部３２を設けたから、財布や小物などを携帯するのに便利であるとともに、普通の上着などに比べてポケットの形成箇所が限られるから、どこに物をしまったのかをあれこれ探す手間が省ける。
【図面の簡単な説明】
【００１８】
【図１】本発明の第１実施形態に係る腹部カバー付きバックパックの正面図である。
【図２】図１のバックパックの要部の裏面拡大図である。
【図３】図２の要部を側方から見た図面である。
【図４】図１のバックパックの使用状態説明図である。
【図５】本発明の第２実施形態に係る腹部カバー付きバックパックの要部の裏面拡大図である。
【図６】図５のバックパックの使用状態説明図である。
【発明を実施するための最良の形態】
【００１９】
図１から図４は、本発明の第１実施形態に係る腹部カバー付きバックパックを示している。このバックパックは、バックパック本体２と一対の肩バンド１０と腹部カバー２０とを具備している。
【００２０】
バックパック本体２は、従来公知の袋状（或いは箱状）の構成であり、図示例においては、ファスナ式の開口部４を上側に有する。バックパック本体２の上部には、持ち手６が取り付けられている。
またバックパック本体２の両側には、サイドポケット８を設けている。
【００２１】
前記バックパック本体２の背面Ｂ側には左右一対の肩バンド１０が設けられている。この肩バンド１０の両端は、それぞれバックパック本体の上部及び下部に対して縫着その他適当な手段により連結されている。また肩バンド１０の長手方向の途中部分には、後述の腹部カバー２０が取り付けられている。
図示例では、前記肩バンド１０は、バックパック本体２の上部から突出する第１バンド部１０ａと、バックパック本体２の下部から突出される第２バンド部１０ｂとを有する。これらの両バンド部１０ａ、１０ｂの各先端部は、本実施形態では補助リング１２を介して連結されており、また肩バンド１０の適所に長さ調整部１４を設けている。
補助リング１２は、図示例では長方形状のものであり、当該長方形の上辺の内側に第１バンド部１０ａを掛け留めさせ、また当該長方形の下辺の内側に第２バンド部１０ｂを掛け留めさせている。第１バンド部１０ａの先端部は後述の腹部カバー２０に、また第２バンド部１０ｂの先端部は、下記の長さ調整部１４によりそれぞれ係止されている。
長さ調整部１４は、従来公知の構成であり、例えば四角形状の外枠１４ａの内部を、２つのスリット孔１５に分割させる仕切り棒１４ｂを外枠１４ａに連結させている。そして前記第２バンド部１０ｂが下側から前記２つのスリット孔１５を通過し、補助リング１２の下辺の内側を追加した後に、再び前記２つのスリット孔１５を上側から順次通過するようにして、肩バンド１０の長さを調整できるようにしている。
好適な図示例では、前記第１バンド部１０ａの上部を囲むように、肩当て兼用のバンドカバー１１を設ける。このバンドカバー１１の基端側はバックパック本体２の上端部に連結している。バンドカバー１１は第１バンド部１０ａに比べて扁平かつ幅広であり、肩への当たりを和らげる程度にソフトな材料で形成することが望ましい。この構成により肩バンド１０が肩に食い込むことを回避できる。
【００２２】
腹部カバー２０は、前記左右一対の肩バンド１０同士の間に掛け渡され、利用者の腹部を覆うように構成している。
腹部カバー２０は、各肩バンド１０に取り付けられた半身部材２２Ａ、２２Ｂで構成されている。これら半身部材２２Ａ、２２Ｂは、前記肩バンド１０に取り付けれた基端部２４より、左右方向内側へ突出され、その先端部２６同士を相互に着脱自在に固定されている。図示例では、図２に示す如く、一方の半身部材２２Ａの先端部２６の裏面Ｓ２に例えば面ファスナーである固定具２８を設け、この固定具が他方の半身部材２２Ｂの先端部２６の上に重ねると付着するように構成している。
好適な一実施例として前記半身部材２２Ａ、２２Ｂは通気性のある材料で形成することができるが、必ずしもそうする必要はない。
前記半身部材２２Ａ、２２Ｂの裏面Ｓ２には、肩バンド１０に取り付けるための取り付け手段３０を設ける。図示例の取り付け手段３０は、前記裏面Ｓ２に両端を帯状片の両端を縫い付けてある上側通し部３０ａ及び下側通し部３０ｂで形成されている。
また前記半身部材２２Ａ、２２Ｂの表面Ｓ１には、ポケット部３２を設ける。このポケット部３２は、外側のポケットのうちに内側のポケットを多重に縫い付けた特殊構造とすることができる。
図示例の半身部材２２Ａ、２２Ｂは、基端部２４側が幅広で先端部２６に向かうに従って狭くなる略三角形状としている。これにより、利用者の上半身の動きを制限しないようにすることができる。
また図示例では、前記略三角形状の半身部材２２Ａ、２２Ｂの頂角部分を上方へ延長して、その延長部分３４を前記バンドカバー１１の前部下端に連結している。好適な図示例では、第１バンド部１０ａの下端部を、前記補助リング１２で折り返して、第１バンド部１０ａの途中部分と重ね合わせ、この重なり部分と前記延長部分３４の上端部とバンドカバー１１の下端部とをまとめて縫い付ける縫い留め部３６Ａを形成している。もっともこの構成は適宜変更することができる。
前記延長部分３４の外面には、係止紐３８及びリング体４０を取り付けている。図示例では、一本の係止紐３８の一方半部をリング体４０に挿通させて、残る他方半部の上に折り重ね、この折り重ねた両半部を、まずリング体４０の上の下側縫合箇所３８ｂで延長部分３４に縫い付け、さらに当該箇所でループを形成するように前記一方半部及び他方半部の上端を上側縫合箇所３８ａで延長部分３４に縫い付けることで構成される。前記係止紐３８のループ部分には、例えば図４に想像線で示す如く、例えば杖Ｃの上端を引っ掛けて装着することができる。前記リング体４０は装飾リングとキーホルダーなどを吊り下げるための吊り下げ用リングとを兼ねる。
【００２３】
前記構成において、図１に示す状態から、一対の半身部材２２Ａ、２２Ｂの先端部２６を分離させて、肩バンド１０に腕を通し、利用者の腹部の前で再び両半身部材２２Ａ、２２Ｂの先端部２６を重ねて固定具２８で固定すると、図４に示すように本発明の腹部カバー付きバックパックを装備することができる。
この状態で上半身の前面側は腹部しか覆われていないので、比較的暑い季節には利用者の体温上昇を回避することができる。他方、寒い季節にはジャンバーの上から腹部カバー付きのバックパックを羽織るように身に着けることで、腹部の冷えを回避できる。
また本発明のバックパックは身体の前面側では主に腹部を覆うだけなので、上半身をかがめたり、延ばしたりする自由を妨げない。
さらにポケット部３２には財布や小物を入れることができるので、便利である。
【００２４】
以下、本発明の他の実施形態を説明する。これらの説明において第１実施形態と同じ構成に関しては解説を省略する。本実施形態では、前記肩バンド１０に対して各半身部材２２Ａ、２２Ｂを着脱自在に取り付けたものである。
一対の半身部材２２Ａ、２２Ｂは、前記縫い留め部３６Ａに代えて着脱式係合部３６Ｂにより、前記バンドカバー１１に対して取り付けられている。図示例では着脱式係合部３６Ｂを面ファスナーとし、バンドカバー１１を面ファスナーが被着可能な材料で形成しているが、その構造は適宜変更することができ、例えばフック式の係合部を用いてもよい。またバンドカバー１１を省略するときには、着脱式係合部３６Ｂを設ける必要がない。
図示例では、説明を簡単にするために、第１実施形態の構成のうち補助リング１２、係止紐３８、リング体４０を省略している。
また肩バンド１０の適所、好ましくは、外部から利用者が視認できる位置に、肩バンド１０の分離及び再結合が可能な脱着手段１８を設ける。この脱着手段１８は、例えば従来公知のバックル本体１８ａ及び差込部１８ｂからなるバックルとすることができる。
また肩バンド１０は、３つの部分、図示例ではバックパック本体の上部から長さ調整部１４までの第１バンド部１０ａ、長さ調整部１４から脱着手段１８までの第２バンド部１０ｂ、及び脱着手段１８からバックパック本体２の下部までの第３バンド部１０ｃで形成することができる。
なお、脱着手段の構成は、適宜変更することができる。例えば肩バンド１０及び半身部材のうちの一方に、他方を着脱可能に挟むクリップ具を付設してもよく、肩バンド１０及び半身部材の対応箇所に相互に係合するフック及びフック受具を設けてもよく、さらに当該対応箇所に、面ファスナーなどを利用した分離可能な貼着面を設けてもよい。
長さ調整部１４に対する第１バンド部１０ａ及び第２バンド部１０ｂの取付け方法は、従来公知であるように、例えば第１バンド部１０ａを前記仕切り棒１４ｂに係止させ、次に第２バンド部１０ｂの先端部を、下側から２つのスリット孔１５を順次挿通させ、外枠１４ａの上辺部の外側で折り返して、下側のスリット孔１５を挿通させればよい。
本実施形態では、前記上側通し部３０ａ及び下側通し部３０ｂのサイズは、前記差込部１８ｂを挿通させることができるように設計される。
そして各半身部材２２Ａ、２２Ｂを肩バンド１０から外すときには、まず前記延長部分３４の着脱式係合部３６Ｂをバンドカバー１１から外して、次に脱着手段１８のバックル本体１８ａから差込部１８ｂを分離させる。そして、図６に示すようにバンドカバー１１を引き上げると、第２バンド部１０ｂが下側通し部３０ｂ及び上側通し部３０ａから順次引き抜かれ、半身部材２２Ａ、２２Ｂを外すことができる。
本実施形態によれば、腹部カバー２０は着脱可能な方式であるので、必要がないときには、取り外して通常のバックパックとして使用することができる。さらにまた腹部カバー２０のみを製品として購入し、既存のバックパックに適用することもできる。
【符号の説明】
【００２５】
２…バックパック本体  ４…開口部  ６…持ち手  ８…サイドポケット
１０…肩バンド  １０ａ…第１バンド部  １０ｂ…第２バンド部
１０ｃ…第３バンド部
１１…バンドカバー  １２…補助リング  １４…長さ調節部
１４ａ…枠部  １４ｂ…仕切り棒  １５…スリット孔  
１８…脱着手段  １８ａ…バックル本体  １８ｂ…差込部
２０…腹部カバー  ２２Ａ、２２Ｂ…半身部材  ２４…基端部  ２６…先端部
２８…固定具  ３０…取付け手段  ３０ａ…上側通し部  ３０ｂ…下側通し部
３２…ポケット部  ３４…延長部分  
３６Ａ…縫い止め部  ３６Ｂ…着脱式係合部
３８…係止紐  ３８ａ…上側縫合箇所  ３８ｂ…下側縫合箇所  ４０…リング体  
Ｂ…背面  Ｃ…杖  Ｍ…肩バンド途中部分  Ｓ１…表面  Ｓ２…裏面
【図１】
2018148998.tif 000003
【図２】
2018148998.tif 000004
【図３】
2018148998.tif 000005
【図４】
2018148998.tif 000006
【図５】
2018148998.tif 000007
【図６】
2018148998.tif 000008